(57)【要約】【課題】  符号化処理の動作基準となるクロック周波数が所定時間後にずれてきた場合は、上述したように、適切にデジタル信号を出力できなくなるといった問題が生じる。【解決手段】  上記課題を解決するために、デコーダにおいて映像データ、音声データをデコードする場合に、クロック生成部のクロック再生速度を制御するための設定値を記録部に随時記録させ、デコーダにおいて前記記録部に記録されたデータを復号するときに、前記設定値を用いてカウンタの生成するシステム時刻情報がデジタル放送受信時の時刻情報に同期するように前記クロック生成部を制御すればよい。【選択図】図１
2006352498.tif 000002
【特許請求の範囲】
【請求項１】
放送データを受信する受信部と、
前記放送データを映像データ、音声データ、時刻情報に分離する分離部と、
前記時刻情報からシステム時刻情報を生成する計測部と、
前記計測部を動作させるクロック信号を生成するクロック生成部と、
前記分離部により分離された前記映像データ、前記音声データを復号する復号部と、
前記放送データを記録する記録部と、
前記復号部は、前記クロック生成部により生成された時刻情報を用いて復号し、
前記復号部において前記映像データ、前記音声データをデコードする場合に、前記クロック生成部のクロック再生速度を制御するための設定値を前記記録部に随時記録し、前記デコーダにおいて前記記録部に記録されたデータを復号するときに、前記設定値を用いて前記計測部の生成するシステム時刻情報がデジタル放送受信時の前記時刻情報に同期するように前記クロック生成部を制御する制御部とを備えることを特徴とする記録再生装置。
【請求項２】
請求項１記載の記録再生装置において、
前記制御部は、前記記録部において前記設定値を随時記録できなかった場合には改めて前記記録部に記録された前記設定値を更新する処理を行うように指示することを特徴とする記録再生装置。
【請求項３】
請求項２記載の記録再生装置において、
前記制御部は、前記設定値を更新する処理を行うように指示する信号を入力した場合に、
前記記録部に記録された前記設定値を更新する処理を行うように指示することを特徴とする記録再生装置。
【請求項４】
デジタル放送信号を受信するチューナと、前記デジタル放送信号を映像データ、音声データ、時刻情報に分離する分離部と、前記時刻情報からシステム時刻情報を生成するカウンタと、前記カウンタを動作させるクロック信号を生成するクロック生成部と、前記分離部により分離された前記映像データ、前記音声データをデコードするデコーダと、前記デジタル放送信号を記録する記録部とを具備し、前記デコーダは生成された前記システム時刻情報を参照してデコードを行う記録再生装置であって、
前記デコーダにおいて前記映像データ、前記音声データをデコードする場合に前記クロック生成部のクロック再生速度を制御する設定値を前記記録部に随時記録し、前記デコーダにおいて前記記録部に記録されたデジタル信号をデコードする場合に、前記設定値を用いて前記カウンタの生成するシステム時刻情報がデジタル放送受信時の前記時刻情報に同期するように前記クロック生成部を制御する制御部とを備えることを特徴とする記録再生装置。
【請求項５】
請求項４のデジタル放送記録再生装置において、
前記デコーダにおいて前記映像データ、前記音声データをデコードする際に前記クロック生成部のクロック再生速度を制御する設定値を前記記録部に記録し、
前記制御部は、前記デコーダにおいて前記記録媒体に記録したデジタル放送信号をデコードする場合に、前記記録媒体に記録した前記設定値を用いて前記カウンタの生成するシステム時刻情報がデジタル放送受信時の前記時刻情報に同期するように前記クロック生成部を制御することを特徴とする記録再生装置。
【請求項６】
デジタル放送信号を受信するチューナと、前記デジタル放送信号を映像データ、音声データ、時刻情報に分離する分離部と、前記時刻情報からシステム時刻情報を生成するカウンタと、前記カウンタを動作させるクロック信号を生成するクロック生成部と、前記分離部により分離された前記映像データ、前記音声データをデコードするデコーダと、前記デコーダによりデコードされた前記映像データ、前記音声データを符号化するエンコーダを具備し、前記エンコーダは前記クロック生成部で生成されたクロックに基づいて符号化を行う受信装置において
前記エンコーダが前記映像データ、前記音声データを符号化する際に、前記デコーダにおいて前記映像データ、前記音声データをデコードする際に前記クロック生成部のクロック再生速度を制御するための設定値を用いて前記カウンタの生成するシステム時刻情報がデジタル放送受信時の前記時刻情報に同期するように前記クロック生成部を制御する制御部とを備え、
前記制御部は、前記設定値が随時更新されるように制御することを特徴とする受信装置。
【発明の詳細な説明】
【技術分野】
【０００１】
本発明はトランスポートストリーム記録再生装置及び再生手法に関する。
【背景技術】
【０００２】
国際標準規格であるＭＰＥＧ（Ｍｏｖｉｎｇ  Ｐｉｃｔｕｒｅ  Ｅｘｐｅｒｔｓ  Ｇｒｏｕｐ）の中でも通信システムや放送システムへの適用が考慮されているＭＰＥＧ２システムが規格として採用され、伝送時に誤りの発生する環境での伝送・蓄積に適したＭＰＥＧ２トランスポートストリーム（以降、ＭＰＥＧ２−ＴＳと略す）と呼ばれる形式が用いられている。ＭＰＥＧ２−ＴＳには送信側が意図したとおりに受信機で映像と音声を同期して再生出来るように、受信機が参照する時刻情報値プログラムクロックリファレンス（ＰＣＲ）を多重して送信する。
【０００３】
このＰＣＲとの位相がロックしたシステムクロックを得るために、記録時にメモリに記録された周波数情報に基づいて制御信号を発振手段に供給し、システムクロックを発振させる技術が開示されている。（特許文献１）
【特許文献１】特開平１０−１１９０２号公報
【発明の開示】
【発明が解決しようとする課題】
【０００４】
説明を明確にするために、受信機でデジタル放送を受信し再生する動作について簡単に説明する。
【０００５】
まず、入力されるトランスポートストリーム（ＴＳ）からプログラムアソシエーションテーブル（ＰＡＴ）／プログラムマップテーブル（ＰＭＴ）を取得し、目的のプログラム識別子（ＰＩＤ）を判別する。判明したＰＩＤを持つＴＳパケットを取得し、映像、音声、ＰＣＲに分離する。
【０００６】
次に、受信したＰＣＲをシステムタイムクロック（ＳＴＣ）カウンタの計数値の初期値として設定し、以降カウンタの計数値を増加させ、各映像データに付随しているＤＴＳがその計数値に一致した時刻にデコード（復号）を行い、映像または音声データに付随するＰＴＳが一致した時刻に表示を行う。
【０００７】
ここで、ＳＴＣカウンタの周波数は、ＭＰＥＧ規格で２７ＭＨｚ±３０ｐｐｍとするように規定されている。そのため、ＳＴＣカウンタの計数値の増加速度を制御する方法として、ＰＷＭ（Ｐｕｌｓｅ Ｗｉｄｔｈ Ｍｏｄｕｌａｔｏｒ）制御がある。ＳＴＣカウンタは、例えば、発振機が生成する５４ＭＨｚのクロックを基にその倍数である２７ＭＨｚの周波数で動作する。ＰＷＭ制御では、定期的に受信されるＰＣＲの値とＳＴＣカウンタの計数値の値を比較し、その誤差が小さくなるように前記発振機の出力パルスの幅あるいは間隔を調節する。ＰＷＭが参照するＰＣＲは複数のデジタル放送信号を受信している場合、その中から１つを選択する。以上に記載したように放送受信時は、ＰＣＲを参照することで安定したクロック再生を行うことができる。
【０００８】
一方、記録媒体からの再生においては、パケットの送信間隔を敢えて一定としない再生方法を用いることがある。例えばデコーダが自分のデコード能力に応じて記録媒体からのデータ送信を制御する再生方法（以降フロー制御再生と呼ぶ）である。この場合、デコーダへのストリームの入力がＰＣＲの値に関わらず行われるため、ＰＣＲを参照してクロック再生を行うことは不可能である。したがって、フロー制御で再生を行う場合や、或は正しくＰＣＲを取得することが期待できない状況では、システムが一定の設定値を用いてクロック再生を行う。しかし、この時生成される周波数は、回路の設計誤差、発振素子の特性等が要因となって機体ごとに、或は再生の度に２７ＭＨｚからずれる。このずれ幅がＭＰＥＧで定められた２７ＭＨｚ±３０ｐｐｍの範囲内であれば再生に支障は無いが、ずれ幅が大きくＭＰＥＧで定められた規格を外れると、例えば長期の再生でバッファオーバーあるいはアンダーフローが発生する、正しいＮＴＳＣ信号を出力できないなどの問題がある。
【０００９】
また、装置内部にエンコーダを持ち、例えばＤ−ＶＨＳなどの外部記録機器に出力を行うデジタル放送信号記録再生装置において、符号化処理の動作基準となるクロック周波数がずれた場合、上述した記録媒体からの再生時と同様に正しくデジタル信号を出力できなくなるなどの問題も生じる。
【００１０】
従って、記録媒体からの再生の際、或は符号化動作を行う際に安定したクロック再生を行うための制御手法が必要である。
【００１１】
上記特許文献１においては、記録時にメモリに記録された周波数情報に基づいて制御信号を発振手段に供給し、システムクロックを発振させることが開示されているが、メモリに記録された周波数情報は一度記録されると固定されてしまい、機器の損耗などによって
符号化処理の動作基準となるクロック周波数が所定時間後にずれてきた場合は、上述したように、適切にデジタル信号を出力できなくなるといった問題が生じる。すなわち、デバイスの経時的変化を想定した検討が十分ではなかった。
【００１２】
そこで、本発明では、時間的に経過しても安定したクロック再生が可能となる記録再生装置を提供することを目的とする。
【課題を解決するための手段】
【００１３】
上記課題を解決するため、周波数情報を随時更新可能な仕組みを作ればよい。すなわち、例えば、請求項１記載のように、放送データを受信する受信部と、前記放送データを映像データ、音声データ、時刻情報に分離する分離部と、前記時刻情報からシステム時刻情報を生成する計測部と、前記計測部を動作させるクロック信号を生成するクロック生成部と、
前記分離部により分離された前記映像データ、前記音声データを復号する復号部と、前記放送データを記録する記録部と、前記復号部は、前記クロック生成部により生成された時刻情報を用いて復号し、前記復号部において前記映像データ、前記音声データをデコードする場合に、前記クロック生成部のクロック再生速度を制御するための設定値を前記記録部に随時記録し、前記デコーダにおいて前記記録部に記録されたデータを復号するときに、前記設定値を用いて前記カウンタの生成するシステム時刻情報がデジタル放送受信時の前記時刻情報に同期するように前記クロック生成部を制御する制御部とを備えるように構成すればよい。
【００１４】
これにより記録媒体からの再生時に、回路設計などに起因する機体固有のずれ、或は再生時の環境に起因するずれなどの影響を踏まえた前記制御値の設定が随時可能となり、所定時間経過後であっても安定したクロック再生を行うことができる。
【発明の効果】
【００１５】
本発明によれば、安定したクロック再生が可能となる記録再生装置を提供できる。
【発明を実施するための最良の形態】
【００１６】
以下の実施例では現行放送に用いられているＭＰＥＧ２−ＴＳ形式のストリームを受信し、かつＭＰＥＧ２−ＴＳを記録媒体へ記録・再生する装置を例に説明を行う。尚、以下は本発明の説明のための例示であって、本発明の範囲をこの変形例にのみ限定する趣旨ではない。
【実施例】
【００１７】
本実施例のデジタル放送記録再生装置の構成を図２に示す。入力端子２０１、チューナ２０２、分離部２０３、記録媒体２０４、制御部２０５、ＰＷＭ制御部２０６、ＶＣＸＯ（Ｖｏｌｔａｇｅ Ｃｏｎｔｒｏｌｌｅｄ ＣＲＹＳＴａｌ Ｏｓｃｉｌｌａｔｏｒ）２０７、ＰＣＲ取得部２０８、 ＳＴＣカウンタ２０９、ＳＴＣカウンタ２１０、映像信号デコード部２１１、音声信号デコード部２１２、出力端子２１３、出力端子２１４、メモリ２１５及びシステムバス２１６を備える。
【００１８】
２０１はＭＰＥＧ２−ＴＳ形式で伝送されるデジタル放送信号を入力する入力端子である。２０２は入力された放送信号を受信・同調するデジタルチューナブロックである。２０３は分離部で、チューナ２０２から伝送されたデジタル放送信号から必要なデータのみ抽出して記録媒体２０４へ出力、もしくは映像、音声、時刻情報というデータを分離して、映像信号デコード部２１１、音声信号デコード部２１２、ＰＣＲ取得部２０８の各ブロックへ出力する。また記録媒体２０４から伝送されたデジタル信号も同様に映像、音声、時刻情報とデータを分離して、映像信号デコード部２１１、音声信号デコード部２１２、ＰＣＲ取得部２０８の各ブロックへ出力する。２０４は、デジタル放送信号を記録し再生する記録媒体である。デジタル放送と同様のＭＰＥＧ２−ＴＳ形式でデータを扱う。
【００１９】
制御部２０５は、本再生装置の動作を制御する。ＰＣＲ取得部２０８からＰＣＲを受信し、ＳＴＣカウンタ２０９且つ／または２１０の計数値を比較してＰＷＭ制御部２０６に制御信号を送信する、もしくは直接ＶＣＸＯ２０７に設定する値を制御する。
【００２０】
ＰＷＭ制御部２０６は制御部２０５のＰＣＲとＳＴＣカウンタの計数値を比較する比較器や比較結果を直流に変換するＤ／Ａ等を有し、ＶＣＸＯ２０７と合わせてＰＬＬ（Ｐｈａｓｅ Ｌｏｃｋｅｄ Ｌｏｏｐ）を形成しており、デジタル放送受信時にはＰＣＲとＳＴＣカウンタの計数値との誤差が小さくなるようにＶＣＸＯ２０７を制御する。
【００２１】
ＶＣＸＯ２０７では、ＳＴＣカウンタ２０９及び２１０を動作させるためのクロックを生成し、ＳＴＣカウンタ２０９及び２１０へ出力する。そのパルス幅は、ＰＷＭ制御部２０６或は制御部２０５によって制御する。
【００２２】
ＰＣＲ取得部２０８では、分離部２０３から得られる時刻情報ＰＣＲを取得し、後段のＳＴＣカウンタ２０９および２１０の計数値へ設定する、同時にシステムバス２１５を介して制御部２０５へ伝送する。
【００２３】
ＳＴＣカウンタ２０９は、ＰＣＲ取得部２０８から供給されるＰＣＲ値を計数値として設定し、またＶＣＸＯ２０７の生成するクロックを参照して計数値をカウントアップする。計数値を随時映像信号デコード部２１１へ供給する。
【００２４】
ＳＴＣカウンタ２１０は、上記ＳＴＣカウンタ２０９と同様に計数値をカウントアップし、随時音声信号デコード部２１２に供給する。
【００２５】
映像信号デコード部２１１は、分離部２０３から伝送された映像信号をデコード／出力する。ＳＴＣカウンタ２０９から受信する計数値が映像信号に付随する時刻情報ＤＴＳと一致したタイミングでデコードを実行し、また時刻情報ＰＴＳと一致したタイミングでデコードした映像信号を出力端子２１３へ出力する。
【００２６】
音声信号デコード部２１２では、分離部２０３から伝送される音声信号をデコード／出力する。ＳＴＣカウンタ２１０の計数値と音声信号に付随する時刻情報ＰＴＳが一致したタイミングに同期してデコードを行い、出力端子２１４に出力する。２１３はデコードした映像データを出力する出力端子である。２１４はデコードした音声データを出力する出力端子である。２１５は、後述する設定値を記憶するメモリである。２１６は、制御部２０５と各ブロックが命令及びデータを通信するためのシステムバスである。
【００２７】
以上の構成によって、本実施例におけるデジタル放送記録再生装置において、入力端子２０１から入力されるデジタル放送信号、及び記録媒体２０４に記録されているデジタル信号を、映像と音声を同期して出力する。
【００２８】
デジタル放送受信時には、以下に説明するＰＷＭ制御によって、ＳＴＣカウンタを安定して動作させる。
【００２９】
ＰＷＭ制御部２０６では例えば図3に示すように装置の発振素子によって生成されるシステムクロックの倍数でＶＣＸＯ２０７のパルス幅と間隔を制御することが可能である。ＶＣＸＯ２０７の周波数が５４ＭＨｚとなるように制御し、ひいてはＳＴＣカウンタ２０９および２１０の周波数がほぼ２７ＭＨｚとなるように制御する。
【００３０】
この装置において、デジタル放送受信時に、ＰＷＭ制御部２０６によりＳＴＣカウンタ２０９及び２１０を制御する。選局完了後、ＰＣＲ取得部２０８がＰＣＲを制御部２０５へ送信し、ＳＴＣカウンタ２０９及び／または２１０が計数値を制御部２０５へ送信する。制御部２０５ではＰＣＲと計数値を比較し、これらの値の大小関係を判定して制御信号をＰＷＭ制御部２０６へ送信する。ＰＷＭ制御部２０６では前記制御信号に応じて、計数値とＰＣＲの誤差が小さくなるように設定値を変更する。ここで設定値と呼ぶのは、ＶＣＸＯ２０７に加える電圧値や、周波数情報などＶＣＸＯ２０７の出力を一意に決定することが可能な１つ或は複数の制御用の数値を意味する。
【００３１】
比較結果がＰＣＲ＞ＳＴＣカウンタの計数値の場合、ＰＷＭ制御部２０６はＶＣＸＯ２０７の出力パルス幅を短くするように制御する。逆に比較結果がＰＣＲ＜ＳＴＣカウンタの計数値の場合は、ＰＷＭ制御部２０６はＶＣＸＯ２０７の出力パルス幅が長くなるように設定値の変更を行う。以上の制御を繰り返すことで一定時間経過後にはＳＴＣカウンタ２０８及び２０９は受信したＰＣＲに同期した周波数で安定動作する。
【００３２】
ユーザ操作により再選局を行うなどで装置への入力が途切れ、ＰＣＲが取得できなくなると、それに起因してＰＷＭ制御によるＶＣＸＯ２０７のパルス幅も不定な値となる。再選局が完了し新規にストリームを入力すると、再びＰＣＲを参照しＰＷＭ制御部２０６が動作してＶＣＸＯ２０７の周波数，及びＳＴＣカウンタ２０９及び２１０の周波数を理想値に近づける。
【００３３】
すなわち、放送波受信時にＳＴＣカウンタ２０９および２１０の周波数は例えば図4に示すように選局／デコード動作を契機として漸近的に理想値の２７ＭＨｚに近い周波数で安定動作する。
【００３４】
周波数がＭＰＥＧ規格で定められた範囲で安定した際の設定値が記録すべき設定値である。この設定値はいったん決定されると固定されるのではなく、随時最適な設定値を記録更新するように制御部２０５により制御される。具体的に、一度設定値を記録して以降も放送を受信する度に，ＶＣＸＯ２０７の周波数が安定する設定値を制御部２０５が取得し，メモリ２１５に記録されている設定値を新しく取得した設定値に更新することで最適な設定値を随時得ることができる。
【００３５】
一方で記録したデジタル信号を記録媒体２０４から再生する際に以下の方法で安定したクロック再生を行う。
１．デジタル放送受信時の安定動作した際の設定値をデジタル放送記録再生装置内に記録する。
２．記録した設定値を用いてＶＣＸＯ２０７を制御することでクロック再生を安定させる。
【００３６】
先ず、デジタル放送受信時に安定動作した時点での設定値を取得する実施例について述べる。
【００３７】
図１は、デジタル放送受信時に設定値を取得する動作の一例を示す。ステップ（以下Ｓと略す）１０１ではデジタル放送の受信を行いＳ１０２へ遷移する。Ｓ１０２ではＶＣＸＯ２０７に与える初期設定値を決定し、Ｓ１０３へ遷移する。以降、ＰＷＭ制御部２０６、ＶＣＸＯ２０７から成るＰＬＬ回路の動作によってＰＣＲを受信する度に設定値を更新し、最終的にはＰＣＲと位相差が無いシステムクロックを得ることが出来る。Ｓ１０３では一定時間経過後に制御用設定値の値を取得して前回取得した値と比較を行う。結果が等しければ安定したシステムクロックを得たと判断しＳ１０４へ遷移する。結果が異なっていればＳ１０３を繰り返すループに遷移する。Ｓ１０４では、制御部２０５がメモリ２１５内に予め確保した変数にＳ１０３で取得した設定値を記録して、記録媒体２０４からの再生を許可し処理を終了する。
【００３８】
Ｓ１０４の待ち時間の設定については、待ち時間を延ばせば、その分確実に周波数が安定した際の設定値を取得できるが、その分設定値の取得まで時間が掛かるため、好適な設定を行う必要がある。上記安定した設定値を取得する方法の変形例として、例えば待ち時間を短くして決められた回数連続して同じ値を検出した時の設定値を記録するという方法もある。
【００３９】
上記のような設定値を取得する動作を、以下の実施例のように複数回繰り返すことで、発振素子のどのような発振周波数の変化に対しても、記録媒体２０４からの再生が安定するクロック再生を実現する設定値を取得する。
【００４０】
（例１）放送波を受信して安定した設定値を取得できた場合には毎回、メモリ２１５に記録している設定値を更新する。記録媒体２０４からの再生時には、その時点で記録されている設定値をクロック再生に使用する。発振素子の温度特性や径時変化に影響されないクロック再生が可能である。拡張した例として、メモリ２１５に複数回分の安定した設定値を記録しておき、再生時にクロック再生に使用する設定値を、例えばそれらの値の平均を取るなどの計算から求める方法もある。
【００４１】
（例２）チャンネルごとに設定値をメモリ２１５に記録する。受信時に安定した設定値を取得できた場合には、そのチャンネルに対応した記録した設定値を更新する。記録媒体２０４から再生を行う際には再生する番組のチャンネルを認識して、チャンネルに対応した設定値をクロック再生に使用する。放送局のエンコーダに合わせたクロック再生が可能である。
いずれの例示でも検出した設定値の記録位置を記録媒体２０４としても良い。
【００４２】
また、図２の構成からなるデジタル放送記録再生装置にエンコーダを付加した構成からなるデジタル放送記録再生装置を図５に示す。
【００４３】
エンコーダ５０１は、映像信号デコード部２１１にてデコードした映像信号と音声信号デコード部２１２にてデコードした音声信号を入力として、ＶＣＸＯ２０７から出力するクロック信号に基づいて符号化を行い、出力端子５０２へ出力する。
【００４４】
出力端子５０２は、例えばＤ−ＶＨＳなどの外部機器に接続され、エンコーダ５０１で符号化したデータを出力する端子である。
【００４５】
上記の構成からなるデジタル放送受信機において、エンコーダ５０１において符号化を行う際にも記録媒体２０４から再生を行う実施例と同様に、上述した実施例によって得ることが出来る安定した設定値を用いてＶＣＸＯ２０７を制御することで、安定した符号化動作が可能である。設定値の記録、読出し方法は上述した実施例と同等である。
【００４６】
また、図２の構成からなるデジタル放送記録再生装置に対して、ＰＣＲ取得部２０８から音声信号デコード部２１４を簡略化してデコード部６０１として、デコード部６０１と同じ構成からなるデコード部６０２、デコードを行った映像信号を出力端子６０３に、デコードを行った音声信号を出力端子６０４に出力を行う構成を付加したデジタル放送記録再生装置を図６に示す。
【００４７】
この装置において、記録媒体２０４からの再生時に安定したクロックを生成する手順を図７に示す。
【００４８】
Ｓ７０１ではチューナ２０１で記録媒体２０４から再生を行う番組と同じチャンネルの番組を受信し、Ｓ７０２へ遷移する。
【００４９】
Ｓ７０２ではチューナ２０１からの信号をデコード部６０２でデコードを行い、Ｓ７０３へ遷移する。
【００５０】
Ｓ７０３ではデコード部６０２から得られるＰＣＲとＳＴＣカウンタ値を用いてＰＷＭ制御を行い、得られたＶＣＸＯ２０７の信号をデコード部６０１、デコード部６０２へ入力してＳ７０４へ遷移する。
【００５１】
Ｓ７０４ではデコード部６０１がＳ７０３の手順において得られたクロック信号を用いて記録媒体２０４からの再生を行う。
【００５２】
以上で説明した動作によって、上述した設定値をメモリ等に記録した場合と同様に、安定したクロック再生を用いて記録媒体２０４からの再生を行うことが可能である。
【産業上の利用可能性】
【００５３】
上記実施例は例えばＨＤＤやＤＶＤ、Ｂｌｕ−ｒａｙ Ｄｉｓｋなど、デジタル放送を受信し記録／再生する機種ならば、記録媒体の種類は限定しない。また、上記実施例ではＭＰＥＧ２−ＴＳ形式で説明を行ったが、これに限定せず周期的にクロック生成のための基準値が送信される形式ならば良い。
【図面の簡単な説明】
【００５４】
【図１】安定した設定値を取得する手法の一例を示すフローチャート
【図２】実施例における記録再生装置のブロック図
【図３】ＰＷＭ制御によるＳＴＣカウンタのパルス形状設定の模式図
【図４】放送受信時のＰＷＭ制御によるＳＴＣカウンタの周波数の遷移図
【図５】エンコーダを含む記録再生装置のブロック図
【図６】複数のデコード部を含む記録再生装置のブロック図
【図７】安定した設定値を取得する手法の一例を示すフローチャート
【符号の説明】
【００５５】
２０１  入力端子
２０２  チューナ
２０３  分離部
２０４  記録媒体
２０５  制御部
２０６  ＰＷＭ制御部
２０７  ＶＣＸＯ
２０８  ＰＣＲ取得部
２０９  ＳＴＣカウンタ
２１０  ＳＴＣカウンタ
２１１  映像信号デコード部
２１２  音声信号デコード部
２１３  出力端子
２１４  出力端子
２１５  システムバス
５０１  エンコーダ
５０２  出力端子
６０１  デコード部
６０２  デコード部
６０３  出力端子
６０４  出力端子
【図１】
2006352498.tif 000003
【図２】
2006352498.tif 000004
【図３】
2006352498.tif 000005
【図４】
2006352498.tif 000006
【図５】
2006352498.tif 000007
【図６】
2006352498.tif 000008
【図７】
2006352498.tif 000009